【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
正極、負極、セパレータ及び非水溶媒に電解質塩が溶解されている非水電解液を備えた蓄電デバイスであって、正極、負極、及びセパレータから選ばれる少なくとも１種が添加剤として、下記一般式（Ｉ）〜（IV）のいずれかで表されるＳＯ４基含有化合物から選ばれる少なくとも一種を含有することを特徴とする蓄電デバイス。
【化１】
2015159120.tif 000001
（式中、Ｌ１は、炭素数１〜１２のアルキル基、炭素数２〜１２のアルコキシアルキル基、炭素数６〜１２のアリール基、炭素数２〜７のアルケニル基、炭素数３〜８のアルキニル基、炭素数３〜１８の鎖状又は環状エステル基、炭素数が１〜６の硫黄原子を含有する有機基、炭素数が４〜１０のケイ素原子を含有する有機基、炭素数が２〜７のシアノ基を含有する有機基、炭素数が２〜１２のリン原子を含有する有機基、−Ｐ（＝Ｏ）Ｆ２基、炭素数２〜７のアルキルカルボニル基、又は炭素数７〜１３のアリールカルボニル基を示す。
ただし、前記アルキル基、アルコキシアルキル基、アルケニル基、アルキニル基、及びアルキルカルボニル基は、直鎖状又は分枝状であり、前記アルキル基、アルコキシアルキル基、アリール基、エステル基、硫黄原子を含有する有機基、リン原子を含有する有機基、アルキルカルボニル基、及びアリールカルボニル基は、少なくとも一つの水素原子がハロゲン原子で置換されていてもよい。）
【化２】
2015159120.tif 000002
（式中、Ｌ２は、エーテル結合、チオエーテル結合、又は−Ｓ（＝Ｏ）２−結合を含んでいてもよいｐ価の炭化水素連結基を示し、ｐは２〜４の整数である。ただし、Ｌ２は、Ｌ２の有する少なくとも一つの水素原子がハロゲン原子で置換されていてもよい。）
【化３】
2015159120.tif 000003
（式中、Ｒ３１〜Ｒ３３は、それぞれ独立して炭素数１〜１２のアルキル基、炭素数２〜３のアルケニル基、又は炭素数６〜８のアリール基を示し、ｑは１〜４の整数である。
ｑが１の場合、Ｒ３１は−ＯＳＯ３−Ｒ３７であってもよく、この場合、Ｒ３７はＲ３１と同義である。
また、ｑが１の場合、Ｌ３は、炭素数１〜１２のアルキル基、炭素数２〜６のアルケニル基、炭素数３〜６のアルキニル基、炭素数２〜１２のアルコキシアルキル基、−ＣＲ３４Ｒ３５Ｃ（＝Ｏ）ＯＲ３６基、又は炭素数６〜１２のアリール基を示し、ｑが２〜４の場合、Ｌ３は、エーテル結合、チオエーテル結合、又は−Ｓ（＝Ｏ）２−結合を含んでいてもよいｑ価の炭化水素連結基を示す。
Ｒ３４及びＲ３５は、それぞれ独立して水素原子、ハロゲン原子、又は炭素数１〜４のアルキル基を示し、Ｒ３６は炭素数１〜８のアルキル基、炭素数２〜６のアルケニル基、又は炭素数３〜６のアルキニル基を示す。
また、Ｌ３で示されるアルキル基及びアリール基、Ｒ３４〜Ｒ３６で示されるアルキル基は、少なくとも一つの水素原子がハロゲン原子で置換されていてもよい。）
【化４】
2015159120.tif 000004
（式中、Ｌ４は、炭素数１〜１２のアルキル基、炭素数２〜６のアルケニル基、炭素数３〜６のアルキニル基、炭素数２〜１２のアルコキシアルキル基、−ＣＲ４１Ｒ４２Ｃ（＝Ｏ）ＯＲ４３基、又は炭素数６〜１２のアリール基を示し、Ｘは、ＳｉＲ４４Ｒ４５基、第四級オニウム、周期律表第３〜４周期のアルカリ金属、又は周期律表第３〜４周期のアルカリ土類金属を示し、ｒは１又は２の整数である。
ただし、Ｘが、第四級オニウム、又は周期律表第３〜４周期のアルカリ金属である場合、ｒは１であり、Ｘが、ＳｉＲ４４Ｒ４５基、又は周期律表第３〜４周期のアルカリ土類金属である場合、ｒは２である。
Ｒ４１及びＲ４２は、それぞれ独立して水素原子、ハロゲン原子、又は炭素数１〜４のアルキル基を示し、Ｒ４３は炭素数１〜８のアルキル基、炭素数２〜６のアルケニル基、又は炭素数３〜６のアルキニル基を示し、Ｒ４４及びＲ４５はそれぞれ独立して炭素数１〜１２のアルキル基、炭素数２〜３のアルケニル基、又は炭素数６〜８のアリール基を示す。
また、前記アルキル基及びアリール基は少なくとも一つの水素原子がハロゲン原子で置換されていてもよい。）
【請求項２】
正極又は負極における前記一般式（Ｉ）〜（IV）のいずれかで表されるＳＯ４基含有化合物の含有量が該電極活物質に対して０．００１〜５質量％である、請求項１に記載の蓄電デバイス。
【請求項３】
セパレータが下記（a）又は（b）のいずれかの方法で作製されたものである、請求項1又は２に記載の蓄電デバイス。
（a）前記一般式（Ｉ）〜（IV）のいずれかで表されるＳＯ４基含有化合物を有機溶媒や水に溶解した溶液に、セパレータを浸して含浸させた後、乾燥させる方法。
（b）前記化合物を有機溶媒や水に分散させた塗工液を調製し、セパレータの表面全体に塗工液を塗布する方法。
【請求項４】
セパレータが、ポリオレフィンの単層又は積層の微多孔性フィルムである、請求項１〜３のいずれか１項に記載の蓄電デバイス。
【請求項５】
前記一般式（Ｉ）で表されるＳＯ４基含有化合物が、下記一般式（I-1）、（I-2）又は（I-3）で表される化合物である、請求項１〜４のいずれか１項に記載の蓄電デバイス。
【化５】
2015159120.tif 000005
（式中、Ｌ１１は、炭素数１〜１２のアルキル基、炭素数２〜１２のアルコキシアルキル基、又は炭素数６〜１２のアリール基を示す。ただし、前記アルキル基、アルコキシアルキル基、及びアリール基は、少なくとも一つの水素原子がハロゲン原子で置換されていてもよい。）
【化６】
2015159120.tif 000006
（式中、Ｌ１２は、炭素数２〜７の直鎖又は分枝のアルケニル基、炭素数３〜８の直鎖又は分枝のアルキニル基、炭素数３〜１８の鎖状又は環状エステル基、炭素数３〜１８の鎖状又は環状炭酸エステル基、炭素数が１〜６の硫黄原子を含有する有機基、炭素数が４〜１０のケイ素原子を含有する有機基、炭素数２〜７のシアノ基を含有する有機基、炭素数２〜１２のリン原子を含有する有機基、−Ｐ（＝Ｏ）Ｆ２基、炭素数２〜７のアルキルカルボニル基、又は炭素数７〜１３のアリールカルボニル基を示す。ただし、前記アルケニル基、アルキニル基、及びアルキルカルボニル基は、直鎖状又は分枝状であり、前記エステル基、硫黄原子を含有する有機基、リン原子を含有する有機基、アルキルカルボニル基、及びアリールカルボニル基は、少なくとも一つの水素原子がハロゲン原子で置換されていてもよい。）
【化７】
2015159120.tif 000007
（式中、Ｌ１３は、少なくとも一つの水素原子がハロゲン原子で置換されている炭素数１〜１２のアルキル基、少なくとも一つの水素原子がハロゲン原子で置換されている炭素数２〜１２のアルコキシアルキル基、又は少なくとも一つの水素原子がハロゲン原子で置換されている炭素数６〜１２のアリール基を示す。）
【請求項６】
前記一般式（I-1）で表されるＳＯ４基含有化合物が、リチウムメチルサルフェート、リチウムエチルサルフェート、リチウムプロピルサルフェート、リチウムブチルサルフェート、リチウムペンチルサルフェート、リチウムヘキシルサルフェート、リチウムヘプチルサルフェート、リチウムオクチルサルフェート、リチウムｉｓｏ−プロピルサルフェート、リチウムｓｅｃ−ブチルサルフェート、リチウムトリフルオロメチルサルフェート、リチウム２，２，２−トリフルオロエチルサルフェート、リチウム２，２，３，３−テトラフルオロプロピルサルフェート、リチウム１，１，１，３，３，３−ヘキサフルオロ−２−プロピルサルフェート、リチウムメトキシエチルサルフェート、リチウムエトキシエチルサルフェート、リチウムメトキシプロピルサルフェート、リチウムフェニルサルフェート、リチウム４−メチルフェニルサルフェート、リチウム４−フルオロフェニルサルフェート、及びリチウムパーフルオロフェニルサルフェートから選ばれる一種又は二種以上である、請求項１〜５のいずれか１項に記載の蓄電デバイス。
【請求項７】
前記一般式（I-2）で表されるＳＯ４基含有化合物が、リチウムビニルサルフェート、リチウムアリルサルフェート、リチウムプロパルギルサルフェート、リチウム１−オキソ−１−エトキシ−１−オキソプロパン−２−イルサルフェート、リチウム１−オキソ−１−（２−プロピニルオキシ）プロパン−２−イルサルフェート、リチウム２−（アクリロイルオキシ）エチルサルフェート、リチウム２−（メタクリロイルオキシ）エチルサルフェート、リチウム２−（（メトキシカルボニル）オキシ）エチルサルフェート、リチウム（２−オキソ−１，３−ジオキソラン−４−イル）メチルサルフェート、リチウム２−（メタンスルホニル）エチルサルフェート、リチウムメタンスルホニルサルフェート、リチウムトリフルオロメタンスルホニルサルフェート、リチウム２−（トリメチルシリル）エチルサルフェート、リチウム２−シアノエチルサルフェート、リチウム１，３−ジシアノプロピニル２−サルフェート、リチウム（ジエトキシホスホリル）メチルサルフェート、リチウムジエトキシホスホリルサルフェート、リチウムジブトキシホスホリルサルフェート、及びリチウムジフルオロホスホリルサルフェートから選ばれる一種又は二種以上である、請求項１〜６のいずれか１項に記載の蓄電デバイス。
【請求項８】
非水溶媒が、環状カーボネート及び鎖状エステルを含む、請求項１〜７のいずれか１項に記載の蓄電デバイス。
【請求項９】
環状カーボネートが、エチレンカーボネート、プロピレンカーボネート、１，２−ブチレンカーボネート、２，３−ブチレンカーボネート、及び炭素−炭素不飽和結合又はフッ素原子を有する環状カーボネートから選ばれる一種又は二種以上を含有する、請求項８に記載の蓄電デバイス。
【請求項１０】
炭素−炭素不飽和結合を有する環状カーボネートが、ビニレンカーボネート、ビニルエチレンカーボネート、及び４−エチニル−１，３−ジオキソラン−２−オンから選ばれる一種又は二種以上を含有する、請求項９に記載の蓄電デバイス。
【請求項１１】
フッ素原子を有する環状カーボネートが、４−フルオロ−１，３−ジオキソラン−２−オン、及びトランス又はシス−４，５−ジフルオロ−１，３−ジオキソラン−２−オンから選ばれる一種又は二種以上を含有する、請求項９又は１０に記載の蓄電デバイス。
【請求項１２】
電解質塩が、ＬｉＰＦ６、ＬｉＢＦ４、ＬｉＳＯ３Ｆ、リチウムトリフルオロ（（メタンスルホニル）オキシ）ボレート、ＬｉＰＯ２Ｆ２、ＬｉＮ（ＳＯ２ＣＦ３）２、ＬｉＮ（ＳＯ２Ｆ）２、ビス［オキサレート−Ｏ，Ｏ’］ホウ酸リチウム、及びジフルオロビス［オキサレート−Ｏ，Ｏ’］リン酸リチウムから選ばれる一種又は二種以上のリチウム塩を含む、請求項１〜１１のいずれか１項に記載の蓄電デバイス。
【請求項１３】
正極の活物質が、コバルト、マンガン、及びニッケルから選ばれる一種又は二種以上を含有するリチウムとの複合金属酸化物、又は鉄、コバルト、ニッケル、及びマンガンから選ばれる一種又は二種以上を含有するリチウム含有オリビン型リン酸塩である、請求項１〜１２のいずれか１項に記載の蓄電デバイス。
【請求項１４】
負極の活物質が、リチウム金属、リチウム合金、リチウムを吸蔵及び放出することが可能な炭素材料、スズ、スズ化合物、ケイ素、ケイ素化合物、及びチタン酸リチウム化合物から選ばれる一種以上を含有する、請求項１〜１３のいずれか１項に記載の蓄電デバイス。
【請求項１５】
下記一般式（Ｉ）〜（IV）のいずれかで表されるＳＯ４基含有化合物から選ばれる少なくとも一種を含有する蓄電デバイス用正極。
【化８】
2015159120.tif 000008
（式中、Ｌ１は、炭素数１〜１２のアルキル基、炭素数２〜１２のアルコキシアルキル基、炭素数６〜１２のアリール基、炭素数２〜７のアルケニル基、炭素数３〜８のアルキニル基、炭素数３〜１８の鎖状又は環状エステル基、炭素数が１〜６の硫黄原子を含有する有機基、炭素数が４〜１０のケイ素原子を含有する有機基、炭素数が２〜７のシアノ基を含有する有機基、炭素数が２〜１２のリン原子を含有する有機基、−Ｐ（＝Ｏ）Ｆ２基、炭素数２〜７のアルキルカルボニル基、又は炭素数７〜１３のアリールカルボニル基を示す。
ただし、前記アルキル基、アルコキシアルキル基、アルケニル基、アルキニル基、及びアルキルカルボニル基は、直鎖状又は分枝状であり、前記アルキル基、アルコキシアルキル基、アリール基、エステル基、硫黄原子を含有する有機基、リン原子を含有する有機基、アルキルカルボニル基、及びアリールカルボニル基は、少なくとも一つの水素原子がハロゲン原子で置換されていてもよい。）
【化９】
2015159120.tif 000009
（式中、Ｌ２は、エーテル結合、チオエーテル結合、又は−Ｓ（＝Ｏ）２−結合を含んでいてもよいｐ価の炭化水素連結基を示し、ｐは２〜４の整数である。ただし、Ｌ２は、Ｌ２の有する少なくとも一つの水素原子がハロゲン原子で置換されていてもよい。）
【化１０】
2015159120.tif 000010
（式中、Ｒ３１〜Ｒ３３は、それぞれ独立して炭素数１〜１２のアルキル基、炭素数２〜３のアルケニル基、又は炭素数６〜８のアリール基を示し、ｑは１〜４の整数である。
ｑが１の場合、Ｒ３１は−ＯＳＯ３−Ｒ３７であってもよく、この場合、Ｒ３７はＲ３１と同義である。
また、ｑが１の場合、Ｌ３は、炭素数１〜１２のアルキル基、炭素数２〜６のアルケニル基、炭素数３〜６のアルキニル基、炭素数２〜１２のアルコキシアルキル基、−ＣＲ３４Ｒ３５Ｃ（＝Ｏ）ＯＲ３６基、又は炭素数６〜１２のアリール基を示し、ｑが２〜４の場合、Ｌ３は、エーテル結合、チオエーテル結合、又は−Ｓ（＝Ｏ）２−結合を含んでいてもよいｑ価の炭化水素連結基を示す。
Ｒ３４及びＲ３５は、それぞれ独立して水素原子、ハロゲン原子、又は炭素数１〜４のアルキル基を示し、Ｒ３６は炭素数１〜８のアルキル基、炭素数２〜６のアルケニル基、又は炭素数３〜６のアルキニル基を示す。
また、Ｌ３で示されるアルキル基及びアリール基、Ｒ３４〜Ｒ３６で示されるアルキル基は、少なくとも一つの水素原子がハロゲン原子で置換されていてもよい。）
【化１１】
2015159120.tif 000011
（式中、Ｌ４は、炭素数１〜１２のアルキル基、炭素数２〜６のアルケニル基、炭素数３〜６のアルキニル基、炭素数２〜１２のアルコキシアルキル基、−ＣＲ４１Ｒ４２Ｃ（＝Ｏ）ＯＲ４３基、又は炭素数６〜１２のアリール基を示し、Ｘは、ＳｉＲ４４Ｒ４５基、第四級オニウム、周期律表第３〜４周期のアルカリ金属、又は周期律表第３〜４周期のアルカリ土類金属を示し、ｒは１又は２の整数である。
ただし、Ｘが、第四級オニウム、又は周期律表第３〜４周期のアルカリ金属である場合、ｒは１であり、Ｘが、ＳｉＲ４４Ｒ４５基、又は周期律表第３〜４周期のアルカリ土類金属である場合、ｒは２である。
Ｒ４１及びＲ４２は、それぞれ独立して水素原子、ハロゲン原子、又は炭素数１〜４のアルキル基を示し、Ｒ４３は炭素数１〜８のアルキル基、炭素数２〜６のアルケニル基、又は炭素数３〜６のアルキニル基を示し、Ｒ４４及びＲ４５はそれぞれ独立して炭素数１〜１２のアルキル基、炭素数２〜３のアルケニル基、又は炭素数６〜８のアリール基を示す。
また、前記アルキル基及びアリール基は少なくとも一つの水素原子がハロゲン原子で置換されていてもよい。）
【請求項１６】
下記一般式（Ｉ）〜（IV）のいずれかで表されるＳＯ４基含有化合物から選ばれる少なくとも一種を含有する蓄電デバイス用負極。
【化１２】
2015159120.tif 000012
（式中、Ｌ１は、炭素数１〜１２のアルキル基、炭素数２〜１２のアルコキシアルキル基、炭素数６〜１２のアリール基、炭素数２〜７のアルケニル基、炭素数３〜８のアルキニル基、炭素数３〜１８の鎖状又は環状エステル基、炭素数が１〜６の硫黄原子を含有する有機基、炭素数が４〜１０のケイ素原子を含有する有機基、炭素数が２〜７のシアノ基を含有する有機基、炭素数が２〜１２のリン原子を含有する有機基、−Ｐ（＝Ｏ）Ｆ２基、炭素数２〜７のアルキルカルボニル基、又は炭素数７〜１３のアリールカルボニル基を示す。
ただし、前記アルキル基、アルコキシアルキル基、アルケニル基、アルキニル基、及びアルキルカルボニル基は、直鎖状又は分枝状であり、前記アルキル基、アルコキシアルキル基、アリール基、エステル基、硫黄原子を含有する有機基、リン原子を含有する有機基、アルキルカルボニル基、及びアリールカルボニル基は、少なくとも一つの水素原子がハロゲン原子で置換されていてもよい。）
【化１３】
2015159120.tif 000013
（式中、Ｌ２は、エーテル結合、チオエーテル結合、又は−Ｓ（＝Ｏ）２−結合を含んでいてもよいｐ価の炭化水素連結基を示し、ｐは２〜４の整数である。ただし、Ｌ２は、Ｌ２の有する少なくとも一つの水素原子がハロゲン原子で置換されていてもよい。）
【化１４】
2015159120.tif 000014
（式中、Ｒ３１〜Ｒ３３は、それぞれ独立して炭素数１〜１２のアルキル基、炭素数２〜３のアルケニル基、又は炭素数６〜８のアリール基を示し、ｑは１〜４の整数である。
ｑが１の場合、Ｒ３１は−ＯＳＯ３−Ｒ３７であってもよく、この場合、Ｒ３７はＲ３１と同義である。
また、ｑが１の場合、Ｌ３は、炭素数１〜１２のアルキル基、炭素数２〜６のアルケニル基、炭素数３〜６のアルキニル基、炭素数２〜１２のアルコキシアルキル基、−ＣＲ３４Ｒ３５Ｃ（＝Ｏ）ＯＲ３６基、又は炭素数６〜１２のアリール基を示し、ｑが２〜４の場合、Ｌ３は、エーテル結合、チオエーテル結合、又は−Ｓ（＝Ｏ）２−結合を含んでいてもよいｑ価の炭化水素連結基を示す。
Ｒ３４及びＲ３５は、それぞれ独立して水素原子、ハロゲン原子、又は炭素数１〜４のアルキル基を示し、Ｒ３６は炭素数１〜８のアルキル基、炭素数２〜６のアルケニル基、又は炭素数３〜６のアルキニル基を示す。
また、Ｌ３で示されるアルキル基及びアリール基、Ｒ３４〜Ｒ３６で示されるアルキル基は、少なくとも一つの水素原子がハロゲン原子で置換されていてもよい。）
【化１５】
2015159120.tif 000015
（式中、Ｌ４は、炭素数１〜１２のアルキル基、炭素数２〜６のアルケニル基、炭素数３〜６のアルキニル基、炭素数２〜１２のアルコキシアルキル基、−ＣＲ４１Ｒ４２Ｃ（＝Ｏ）ＯＲ４３基、又は炭素数６〜１２のアリール基を示し、Ｘは、ＳｉＲ４４Ｒ４５基、第四級オニウム、周期律表第３〜４周期のアルカリ金属、又は周期律表第３〜４周期のアルカリ土類金属を示し、ｒは１又は２の整数である。
ただし、Ｘが、第四級オニウム、又は周期律表第３〜４周期のアルカリ金属である場合、ｒは１であり、Ｘが、ＳｉＲ４４Ｒ４５基、又は周期律表第３〜４周期のアルカリ土類金属である場合、ｒは２である。
Ｒ４１及びＲ４２は、それぞれ独立して水素原子、ハロゲン原子、又は炭素数１〜４のアルキル基を示し、Ｒ４３は炭素数１〜８のアルキル基、炭素数２〜６のアルケニル基、又は炭素数３〜６のアルキニル基を示し、Ｒ４４及びＲ４５はそれぞれ独立して炭素数１〜１２のアルキル基、炭素数２〜３のアルケニル基、又は炭素数６〜８のアリール基を示す。
また、前記アルキル基及びアリール基は少なくとも一つの水素原子がハロゲン原子で置換されていてもよい。）
【請求項１７】
下記一般式（Ｉ）〜（IV）のいずれかで表されるＳＯ４基含有化合物から選ばれる少なくとも一種を含有する蓄電デバイス用セパレータ。
【化１６】
2015159120.tif 000016
（式中、Ｌ１は、炭素数１〜１２のアルキル基、炭素数２〜１２のアルコキシアルキル基、炭素数６〜１２のアリール基、炭素数２〜７のアルケニル基、炭素数３〜８のアルキニル基、炭素数３〜１８の鎖状又は環状エステル基、炭素数が１〜６の硫黄原子を含有する有機基、炭素数が４〜１０のケイ素原子を含有する有機基、炭素数が２〜７のシアノ基を含有する有機基、炭素数が２〜１２のリン原子を含有する有機基、−Ｐ（＝Ｏ）Ｆ２基、炭素数２〜７のアルキルカルボニル基、又は炭素数７〜１３のアリールカルボニル基を示す。
ただし、前記アルキル基、アルコキシアルキル基、アルケニル基、アルキニル基、及びアルキルカルボニル基は、直鎖状又は分枝状であり、前記アルキル基、アルコキシアルキル基、アリール基、エステル基、硫黄原子を含有する有機基、リン原子を含有する有機基、アルキルカルボニル基、及びアリールカルボニル基は、少なくとも一つの水素原子がハロゲン原子で置換されていてもよい。）
【化１７】
2015159120.tif 000017
（式中、Ｌ２は、エーテル結合、チオエーテル結合、又は−Ｓ（＝Ｏ）２−結合を含んでいてもよいｐ価の炭化水素連結基を示し、ｐは２〜４の整数である。ただし、Ｌ２は、Ｌ２の有する少なくとも一つの水素原子がハロゲン原子で置換されていてもよい。）
【化１８】
2015159120.tif 000018
（式中、Ｒ３１〜Ｒ３３は、それぞれ独立して炭素数１〜１２のアルキル基、炭素数２〜３のアルケニル基、又は炭素数６〜８のアリール基を示し、ｑは１〜４の整数である。
ｑが１の場合、Ｒ３１は−ＯＳＯ３−Ｒ３７であってもよく、この場合、Ｒ３７はＲ３１と同義である。
また、ｑが１の場合、Ｌ３は、炭素数１〜１２のアルキル基、炭素数２〜６のアルケニル基、炭素数３〜６のアルキニル基、炭素数２〜１２のアルコキシアルキル基、−ＣＲ３４Ｒ３５Ｃ（＝Ｏ）ＯＲ３６基、又は炭素数６〜１２のアリール基を示し、ｑが２〜４の場合、Ｌ３は、エーテル結合、チオエーテル結合、又は−Ｓ（＝Ｏ）２−結合を含んでいてもよいｑ価の炭化水素連結基を示す。
Ｒ３４及びＲ３５は、それぞれ独立して水素原子、ハロゲン原子、又は炭素数１〜４のアルキル基を示し、Ｒ３６は炭素数１〜８のアルキル基、炭素数２〜６のアルケニル基、又は炭素数３〜６のアルキニル基を示す。
また、Ｌ３で示されるアルキル基及びアリール基、Ｒ３４〜Ｒ３６で示されるアルキル基は、少なくとも一つの水素原子がハロゲン原子で置換されていてもよい。）
【化１９】
2015159120.tif 000019
（式中、Ｌ４は、炭素数１〜１２のアルキル基、炭素数２〜６のアルケニル基、炭素数３〜６のアルキニル基、炭素数２〜１２のアルコキシアルキル基、−ＣＲ４１Ｒ４２Ｃ（＝Ｏ）ＯＲ４３基、又は炭素数６〜１２のアリール基を示し、Ｘは、ＳｉＲ４４Ｒ４５基、第四級オニウム、周期律表第３〜４周期のアルカリ金属、又は周期律表第３〜４周期のアルカリ土類金属を示し、ｒは１又は２の整数である。
ただし、Ｘが、第四級オニウム、又は周期律表第３〜４周期のアルカリ金属である場合、ｒは１であり、Ｘが、ＳｉＲ４４Ｒ４５基、又は周期律表第３〜４周期のアルカリ土類金属である場合、ｒは２である。
Ｒ４１及びＲ４２は、それぞれ独立して水素原子、ハロゲン原子、又は炭素数１〜４のアルキル基を示し、Ｒ４３は炭素数１〜８のアルキル基、炭素数２〜６のアルケニル基、又は炭素数３〜６のアルキニル基を示し、Ｒ４４及びＲ４５はそれぞれ独立して炭素数１〜１２のアルキル基、炭素数２〜３のアルケニル基、又は炭素数６〜８のアリール基を示す。
また、前記アルキル基及びアリール基は少なくとも一つの水素原子がハロゲン原子で置換されていてもよい。）